(57)【特許請求の範囲】
【請求項１】
一対の案内ガイドに沿って上下方向に移動するとともに下端部に上刃を有し、上部に水平方向に延びる係合溝が形成されたシャンクと、
このシャンクの上刃に対向して配置され、前記上刃との間で端子の圧着作用を行う下刃と、
前記シャンクの係合溝内に挿入される係合突部を有し、水平方向および上下方向に駆動されるラムボルトとを備え、
前記シャンクに水平ガイドを固着するとともに、この水平ガイドに前記ラムボルトと当接する移動体を水平方向に移動自在に設け、この移動体を前記ラムボルト側へ付勢手段により付勢し、移動体はシャンク上方に延びてラムボルトと当接する第１面と、シャンク側面に当接する第２面とを有し、
前記移動体に下方へ突出する突出棒を設け、ラムボルトの係合突部がシャンクの係合溝内から後退した際、移動体がラムボルト側へ付勢手段により移動して突出棒がストッパにより係止され、シャンクおよび水平ガイドが一体として降下できなくなり、ラムボルトの係合突部がシャンクの係合溝内に進入した際、移動体がラムボルトに押されてラムボルトと反対側へ移動して突出棒がストッパから外れ、シャンクおよび水平ガイドが一体として降下可能となることを特徴とする端子圧着装置。
【発明の詳細な説明】
【０００１】
【発明の属する技術分野】
本発明は連鎖端子を一個ずつ切り離しながらこの端子を電線のストリップ部に圧着して取り付ける端子圧着装置に関する。
【０００２】
【従来の技術】
従来から端子を電線のストリップ部に圧着して取り付ける端子圧着装置として、図５（ａ）（ｂ）に示すものが知られている。図５（ａ）（ｂ）において、端子圧着装置１０はフレーム１０ａに固着された一対の案内ガイド１１ａ，１１ｂと、この案内ガイド１１ａ，１１ｂに沿って上下方向に移動するとともに下端部に上刃１３を有するシャンク１２と、シャンク１２の上刃１３に対向して配置された下刃１４とを備え、上刃１３と下刃１４との間で連鎖端子を一個ずつ切り離しながら、端子を図示しない電線のストリップ部に圧着して取付けるようになっている。
【０００３】
シャンク１２の上部には水平方向に延びる係合溝１２ａが形成され、ラムボルト３０が水平方向に移動してラムボルト３０の係合突部３１が、シャンク１２の上部に設けられた係合溝１２ａ内に挿入されるようになっている。
【０００４】
電線のストリップ部に端子を圧着するには、ラムボルト３０の係合突部３１をシャンク１２の係合溝１２ａ内に挿入し、その後ラムボルトを下方に駆動して、シャンク１２の下端部に設けられた上刃１３と下刃１４との間で端子を圧着している。
【０００５】
他方、上刃１３または下刃１４を交換する際、下刃１４上にゴム３６を配置する。次にラムボルト３０を水平方向に駆動してシャンク１２の係合溝１４からラムボルト３０の係合突部３１を引き抜いた後、上刃１３または下刃１４の交換を行っている。
【０００６】
【発明が解決しようとする課題】
上述のように、ラムボルト３０の係合突部３１をシャンク１２の係合溝１４から引き抜く場合、下刃１４上にゴム３６を配置し、シャンク１２が自重で落下したり、上刃１３と下刃１４との間にカジリ、破損が生じることを防止している。
【０００７】
しかしながら、下刃１４上にゴム３６を配置することを忘れると、シャンク１２が自重で落下し、これにより上刃１３と下刃１４との間でカジリ、破損が生じてしまう。
【０００８】
本発明はこのような点を考慮してなされたものであり、ラムボルトの引き抜き時にシャンクの落下を確実に防止することができる端子圧着装置を提供することを目的とする。
【０００９】
【課題を解決するための手段】
本発明は、一対の案内ガイドに沿って上下方向に移動するとともに下端部に上刃を有し、上部に水平方向に延びる係合溝が形成されたシャンクと、このシャンクの上刃に対向して配置され、前記上刃との間で端子の圧着作用を行う下刃と、前記シャンクの係合溝内に挿入される係合突部を有し、水平方向および上下方向に駆動されるラムボルトとを備え、前記シャンクに水平ガイドを固着するとともに、この水平ガイドに前記ラムボルトと当接する移動体を水平方向に移動自在に設け、この移動体を前記ラムボルト側へ付勢手段により付勢し、移動体はシャンク上方に延びてラムボルトと当接する第１面と、シャンク側面に当接する第２面とを有し、前記移動体に下方へ突出する突出棒を設け、ラムボルトの係合突部がシャンクの係合溝内から後退した際、移動体がラムボルト側へ付勢手段により移動して突出棒がストッパにより係止され、シャンクおよび水平ガイドが一体として降下できなくなり、ラムボルトの係合突部がシャンクの係合溝内に進入した際、移動体がラムボルトに押されてラムボルトと反対側へ移動して突出棒がストッパから外れ、シャンクおよび水平ガイドが一体として降下可能となることを特徴とする端子圧着装置である。
【００１０】
端子圧着作業を行う際、まずラムボルトを水平方向に駆動して係合突部をシャンクの係合溝内に挿入する。この場合、移動体がラムボルトに押されてラムボルトと反対側へ移動し、これに伴って突出棒がストッパから外れる。次にラムボルトが降下して、シャンクの下端部に設けられた上刃と、上刃に対向して設けられた下刃との間で圧着作業が行われる。次に上刃または下刃を交換する際、ラムボルトを水平方向に駆動して係合突部をシャンクの係合溝から引き抜く。この場合、移動体が付勢手段によりラムボルト側へ移動し、これに伴って突出棒がストッパに係止され、突出棒とストッパによりシャンクの自重落下が防止される。
【００１１】
【発明の実施の形態】
以下、図面を参照して本発明の実施の形態について説明する。図１乃至図４は、本発明による端子圧着装置の一実施形態を示す図である。本実施形態において、図５に示す従来技術と同一部分には同一符号を付して詳細な説明は省略する。
【００１２】
図１乃至図４に示すように、端子圧着装置１０はフレーム１０ａに固着された一対の案内ガイド１１ａ，１１ｂと、この案内ガイド１１ａ，１１ｂに沿って上下方向に移動するとともに下端部に上刃１３を有するシャンク１２と、シャンク１２の上刃１３に対向してフレーム１０ａに設けられた下刃１４とを備え、上刃１３と下刃１４との間で連鎖端子を一個ずつ切り離しながら、端子を図示しない電線のストリップ部に圧着して取付けるようになっている。
【００１３】
シャンク１２の上部には水平方向に延びる係合溝１２ａが形成され、またラムボルト３０が水平方向および上下方向に駆動されるようになっている。このラムボルト３０はその下端に係合突部３１を有し、この係合突部３１はシャンク１２の係合溝１２ａ内に挿入されるようになっている。またフレーム１０ａはベース２０上に載置されている。
【００１４】
さらにまた、シャンク１２の側方には水平ガイド１５が固着され、この水平ガイド１５には移動体１７が水平方向に移動自在に設けられている。この移動体１７は、水平ガイド１５内に設けられたスプリング１６によりシャンク１２側（ラムボルト３０側）へ付勢されている。また移動体１７は、ラムボルト３０の係合突部３１が係合溝１２ａ内に挿着された場合、ラムボルト３０により押されてスプリング１６の力に抗してシャンク１２と反対側（ラムボルト３０と反対側）に後退するようになっている。
【００１５】
また移動体１７には、下方へ突出する突出棒１８が突設されている。この突出棒１８は、移動体１７がラムボルト３０側へ移動した際案内ガイド１１ａの上端面に当接してシャンク１２の降下を防止するようになっており、また移動体１７がラムボルト３０と反対側へ移動した際、案内ガイド１１ａから外れてシャンク１２が降下できるようになっている。このように案内ガイド１１ａは、突出棒１８に対してストッパとしての役割を果すが、案内ガイド１１ａと別にストッパを設けてもよい。
【００１６】
次にこのような構成からなる本実施形態の作用について説明する。
まず、図２（ａ）（ｂ）に示すように、ラムボルト３０を水平方向に駆動して、ラムボルト３０の係合突部３１をシャンク１２の係合溝１２ａ内に挿入する。
【００１７】
ここで図２（ａ）はラムボルト３０をシャンク１２に装着した場合の端子圧着装置の平面図であり、図２（ｂ）はその正面図である。
【００１８】
図２（ａ）（ｂ）に示すように、ラムボルト３０の係合突部３１がシャンク１２の係合溝１２ａ内に挿入されると、ラムボルト３０が移動体１７の第１面１７ａをスプリング１６の力に抗して押し出し、このようにして移動体１７がラムボルト３０と反対側へ移動する。アーム１７の後退に伴って、突出棒１８が案内ガイド１１ａから外れ、シャンク１２は自由に降下可能となる。
【００１９】
次にラムボルト３０が下方へ駆動され、シャンク１２が降下する。この場合、シャンク１７の下端部に設けられた上刃１３と、フレーム１０ａに設けられた下刃１４との間で連鎖端子が一個ずつ切り離され、切り離された端子が電線のストリップ部に圧着される。
【００２０】
次に上刃１３および下刃１４を交換する際、図３（ａ）（ｂ）および図４に示すように、ラムボルト３０が水平方向に駆動され、ラムボルト３０の係合突部３１がシャンク１２の係合溝１２ａから引抜かれる。ここで図３（ａ）はラムボルト３０とシャンク１２との装着を解除した場合の端子圧着装置の平面図であり、図３（ｂ）はその正面図である。また図４は端子圧着装置の側面図である。
【００２１】
ラムボルト３０の係合突部３１がシャンク１２の係合溝１２ａから引抜かれると、水平ガイド１５に設けられた移動体１７がスプリング１６の力によりラムボルト３０側へ移動し、移動体１７は第２面１７ｂがシャンク１２に当接した段階で停止する。この場合、移動体１７の移動に伴なって、突出棒１８が案内ガイド１１ａの上端に係止され、シャンク１２の降下が防止される。
【００２２】
このように、本実施の形態によれば、突出棒１８が案内ガイド１１ａの上端に係止されると、シャンク１２の降下が防止され、突出棒１８が案内ガイド１１ａの上端から外れると、シャンク１２が自由に降下できるようになっている。このため、ラムボルト３０の係合突部３１をシャンク１２の係合溝１２ａから引抜いた場合、シャンク１２の自重落下を防止することができる。
【００２３】
上述のように、ラムボルト３０の係合突部３１をシャンク１２の係合溝１２ａから引抜いてもシャンク１２が自重で落下しないため、ラムボルト３０の係合突部３１をシャンク１２の係合溝１２ａ内に容易に再挿入することができる。これまではラムボルト３０の係合突部３１をシャンク１２の係合溝１２ａ内に再挿入する際、落下したシャンク１２を手動にて持ち上げて再挿入していたが、本発明によれば、このような手動でシャンク１２を持ち上げる作業は不要となる。また落下したシャンク１２を手動で持ち上げる作業を忘れてラムボルト３０の係合突部３１をシャンク１２の係合溝１２ａ内に挿入しないままラムボルト３０を降下させ、これによりラムボルト３０がシャンク１２の上部を直接叩いて上刃１３と下刃１４が破損する事故を未然に防ぐことができる。
さらにまた、シャンク１２を手動にて持ち上げる作業が不要となるため、端子圧着装置１０を自動変換機を用いて自動変換することができる。
【００２４】
【発明の効果】
以上説明したように、本発明によれば、ラムボルトの係合突部をシャンクの係合溝内に挿入して、ラムボルトにより移動体をラムボルトと反対側へ移動させ、これに伴って案内棒をストッパから外すことにより、端子圧着作業を行うことができる。またラムボルトの係合突部をシャンクの係合溝から引き抜くと、移動体がラムボルト側へ移動し、これに伴って突出棒がストッパにより係止される。このように突出棒とストッパにより、シャンクの自重落下が防止されるので、上刃と下刃の間のカジリ、破損を確実に防止することができる。
【図面の簡単な説明】
【図１】本発明による端子圧着作業の一実施例を示す斜視図であってシャンクと水平ガイドと移動体との関係を示す図。
【図２】端子圧着作業のラムボルトをシャンクに装着した状態を示す図。
【図３】端子圧着装置のラムボルトとシャンクとの装着を解除した状態を示す図。
【図４】端子圧着装置のラムボルトとシャンクとの装着を解除した状態を示す側面図。
【図５】従来の端子圧着装置を示す図。
【符号の説明】
１０  端子圧着装置
１１ａ，１１ｂ  案内ガイド
１２  シャンク
１２ａ  係合溝
１３  上刃
１４  下刃
１５  水平ガイド
１６  スプリング
１７  移動体
１８  突出棒
３０  ラムボルト
３１  係合突部
【図１】
0004212687.tif 000002
【図２】
0004212687.tif 000003
【図３】
0004212687.tif 000004
【図４】
0004212687.tif 000005
【図５】
0004212687.tif 000006